(57)【特許請求の範囲】
【請求項１】
車両の原動機を始動可能な第１のバッテリの電気状態を監視する監視部と、
前記監視部に電力を供給する第２のバッテリである電源部と、
を備え、
前記原動機が停止している時、前記監視部は、前記電気状態としての前記第１のバッテリの電圧の低下率を監視し、
前記原動機が停止している時、前記監視部は、前記第１のバッテリの前記電圧の波形にウインカーランプの点滅に起因するリプルが生じていないか否かをさらに監視し、
前記監視部は、前記原動機が停止している時、前記第１のバッテリの電圧の低下率が所定の低下率よりも大きく、且つ前記第１のバッテリの前記電圧の波形に前記リプルが生じていない場合に、前記車両が盗難されたと判定することを特徴とする車両バッテリ監視システム。
【請求項２】
車両の原動機を始動可能な第１のバッテリの電気状態を監視する監視部と、
前記監視部に電力を供給する第２のバッテリである電源部と、
を備え、
前記原動機が停止している時、前記監視部は、前記電気状態としての前記第１のバッテリの電流の消費率を監視し、
前記原動機が停止している時、前記監視部は、前記第１のバッテリの前記電流の波形にリプルが生じていないか否かをさらに監視し、
前記監視部は、前記原動機が停止している時、前記第１のバッテリの電流の消費率が所定の消費率よりも大きく、且つ前記第１のバッテリの前記電流の波形に前記リプルが生じていない場合に、前記車両が盗難されたと判定することを特徴とする車両バッテリ監視システム。
【請求項３】
前記原動機を始動しないで前記車両が移動している時、前記監視部は、所定期間における前記電気状態としての前記第１のバッテリの電圧の変動幅が所定の変動幅よりも小さいか否か、及び／又は、所定期間における前記電気状態としての前記第１のバッテリの電流の充電量が所定の充電量よりも小さいか否かを監視することを特徴とする請求項１又は２に記載の車両バッテリ監視システム。
【請求項４】
前記車両が盗難された時、前記監視部は、前記第１のバッテリを放電させることを特徴とする請求項１乃至３の何れか１項に記載の車両バッテリ監視システム。
【請求項５】
前記車両が盗難された時、前記第１のバッテリから電装品に供給される電力を遮断する遮断部を
さらに備えることを特徴とする請求項１乃至４の何れか１項に記載の車両バッテリ監視システム。
【請求項６】
前記監視部の監視結果をユーザに報知する報知部を
さらに備えることを特徴とする請求項１乃至５の何れか１項に記載の車両バッテリ監視システム。
【発明の詳細な説明】
【技術分野】
【０００１】
本発明は、車両に設けられたバッテリを監視するシステム（車両バッテリ監視システム）等に関する。
【背景技術】
【０００２】
自動車等の車両は、ヘッドライド、カーセキュリティ装置等の電装品を備え、これらの電装品は、車両バッテリからの電力が供給され、作動することができる。例えば特許文献１の図２は、カーセキュリティ装置２を開示し、特許文献１の段落［００４５］の記載によれば、カーセキュリティ装置２は、通常、主電源１１（車両バッテリ）からの電力が供給される一方、主電源１１からの電力が供給されない場合、電源切替部１２を介して充電式電池１３（補助電源）からの電力が供給される。
【先行技術文献】
【特許文献】
【０００３】
【特許文献１】特開２００８−２７９９３９号公報
【発明の概要】
【発明が解決しようとする課題】
【０００４】
車両バッテリは、車両の原動機を始動可能であり、従って、重要な部品である。しかしながら、車両バッテリは、上述のように、様々な電装品に電力を供給可能であり、車両バッテリの残量は、電装品の作動状況（使用状況）によって減少してしまう。車両バッテリの残量が少ない場合、車両の原動機を始動することができない。言い換えれば、車両バッテリは、電装品の作動状況（使用状況）によって上がってしまう。
【０００５】
また、特許文献１の段落［００４１］の記載によれば、センサ３によって振動を検出している。しかしながら、振動の有無で車両が盗難されたか否かを判定する場合、例えば猫がボンネットの上に乗ったことにより振動が生じ、実際には車両が盗難されていない時にも車両の盗難を誤って判定することもある。特に、夜間に車両の盗難を誤って判定すると、アラーム音は、隣人に迷惑をかけてしまう。
【０００６】
本発明の１つの目的は、車両の盗難に関する誤判定を低減する車両バッテリ監視システムを提供することである。本発明の他の目的は、以下に例示する態様及び好ましい実施形態、並びに添付の図面を参照することによって、当業者に明らかになるであろう。
【課題を解決するための手段】
【０００７】
以下に、本発明の概要を容易に理解するために、本発明に従う態様を例示する。
【０００８】
本発明に従う第１の態様は、車両の原動機を始動可能な第１のバッテリの電気状態を監視する監視部と、
前記監視部に電力を供給する第２のバッテリである電源部と、
を備え、
前記監視部は、前記監視部の監視結果に基づき、前記車両が盗難されたか否かを判定することを特徴とする車両バッテリ監視システムに関係する。
【０００９】
監視部は、車両の原動機を始動可能な第１のバッテリの電圧、電流等の電気状態を監視することができる。例えば、不正に電装品が使用されて、第１のバッテリが消費されることもある。また、原動機を作動させない状態で車両を不正に移動させると、第１のバッテリの状態にＡＣＧの影響が反映されない。このように、車両が盗難される時又は盗難された後、第１のバッテリの電圧、電流等の電気状態に異常が発生する。従って、監視部は、車両の原動機を始動可能な第１のバッテリの電圧、電流等の電気状態を監視することができ、監視部の監視結果（第１のバッテリの電圧及び／又は第１のバッテリの電流）に基づき、車両が盗難されたか否かを判定することができる。言い換えれば、監視部は、第１のバッテリの電圧及び／又は電流が所定のパターンを示す時に車両が盗難されたことを判定することができる。また、第１のバッテリの電気状態又は車両の盗難の有無を監視する監視部は、車両の原動機を始動可能な第１のバッテリからの電力が供給されないで、第１のバッテリと異なる第２のバッテリからの電力が供給される。従って、第１のバッテリの電圧又は車両の盗難の有無を監視する時、第２のバッテリは、第１のバッテリの残量の低下を抑制することができる。
【００１０】
第１の態様において、前記原動機が停止している時、前記監視部は、前記電気状態としての前記第１のバッテリの電圧の低下率が所定の低下率よりも大きいか否か、及び／又は、前記電気状態としての前記第１のバッテリの電流の消費率が所定の消費率よりも大きいか否かを監視してもよい。
【００１１】
車両が盗難される時、盗難者は、不正に室内に進入し、不正に原動機を始動することがある。盗難者は、車両のキーを有していないので、不正な原動機の始動には、時間を要してしまう。また、盗難者は、オーディオ機器等の電装品（車両の一部）を盗難する時にも、電装品の取外しには、時間を要してしまう。この時、不正な室内への進入に伴い、ルームランプが点灯する時間は、長くなってしまう。従って、このような状況では、第１のバッテリの電圧の低下率及び／又は第１のバッテリの電流の消費率は、大きくなってしまう。監視部は、第１のバッテリの電圧の低下率及び／又は第１のバッテリの電流の消費率を介して、車両の盗難の有無を監視することができる。
【００１２】
第１の態様において、前記車両が移動している時、前記監視部は、所定期間における前記電気状態としての前記第１のバッテリの電圧の変動幅が所定の変動幅よりも小さいか否か、及び／又は、所定期間における前記電気状態としての前記第１のバッテリの電流の充電量が所定の充電量よりも小さいか否かを監視してもよい。
【００１３】
車両が盗難される時、盗難者は、原動機を始動しないで、レッカー車で車両を牽引することがある。原動機が作動しない時、ＡＣＧも発電しない。従って、このような状況では、第１のバッテリの電圧の変動幅及び／又は第１のバッテリの電流の充電量は、大きくならない。監視部は、第１のバッテリの電圧の変動幅及び／又は第１のバッテリの電流の充電量を介して、車両の盗難の有無を監視することができる。
【００１４】
第１の態様において、前記車両が盗難された時、前記監視部は、前記第１のバッテリを放電させてもよい。
【００１５】
第１のバッテリが放電すると、第１のバッテリの電圧又は残量が低下してしまう。従って、このような状況では、もはや、第１のバッテリでは、原動機を始動させることができない。原動機を始動不能にして、車両そのものの盗難を防止することができる。
【００１６】
第１の態様において、車両バッテリ監視システムは、
前記車両が盗難された時、前記第１のバッテリから電装品に供給される電力を遮断する遮断部を
さらに備えてもよい。
【００１７】
電装品に供給されていた電力が遮断されると、もはや、原動機を始動させることができない。原動機を始動不能にして、車両そのものの盗難を防止することができる。
【００１８】
第１の態様において、車両バッテリ監視システムは、
前記監視部の監視結果をユーザに報知する報知部を
さらに備えてもよい。
【００１９】
報知部は、監視結果（第１のバッテリの電圧及び／又は第１のバッテリの電流）をユーザに報知することができるので、ユーザは、ユーザ自身で監視結果が車両の盗難を表すか否かを確認することができる。言い換えれば、監視部が車両の盗難を誤って判定することもあるので、例えば、車両が盗難されていないことが明らかである場合、ユーザは、誤判定を取り消すことができる。或いは、車両が盗難されていることが明らかである場合、ユーザは、車両の盗難を確定させることができる。
【００２０】
当業者は、例示した本発明に従う態様が、本発明の精神を逸脱することなく、さらに変更され得ることを容易に理解できるであろう。
【図面の簡単な説明】
【００２１】
【図１】本発明に従う車両バッテリ監視システムの構成例を示す。
【図２】本発明に従う監視装置の概略機能ブロック図の１例を示す。
【図３】車両バッテリの残量と電圧との関係の説明図の１例を示す。
【図４】車両バッテリの残量の時間的変化の１例を示す。
【図５】本発明に従う車両バッテリ監視システムの他の構成例を示す。
【図６】本発明に従う監視装置の他の概略機能ブロック図の１例を示す。
【発明を実施するための形態】
【００２２】
以下に説明する好ましい実施形態は、本発明を容易に理解するために用いられている。従って、当業者は、本発明が、以下に説明される実施形態によって不当に限定されないことを留意すべきである。
【００２３】
図１は、本発明に従う車両バッテリ監視システムの構成例を示す。図１の例において、車両バッテリ監視システムは、車両１００に設けられた第１のバッテリ２（車両バッテリ）を監視し、例えば、監視装置２０を備える。言い換えれば、車両バッテリ監視システムは、少なくとも監視装置２０を備え、例えば第１のバッテリ２も備えることができる。また、車両バッテリ監視システムは、ヘッドライト１１等の電装品をさらに備えてもよい。
【００２４】
図１の例において、監視装置２０は、常時電源ライン＋Ｂ上のノードＰ２に設置されているが、監視装置２０は、常時電源ライン＋Ｂ上の任意のノードに設定することができ、例えば、第１のバッテリ２の＋端子（正極）の根元付近のノードＰ１に設置してもよい。後述するように、監視装置２０又は車両バッテリ監視システムは、常時電源ライン＋Ｂ上の電気状態、即ち第１のバッテリ２の電気状態（電圧）を監視するとともに、セキュリティ装置である監視装置２０又は車両バッテリ監視システムは、車両１００が盗難されたか否かも監視する。
【００２５】
図１の例において、車両１００は、例えば自動車であり、自動車は、例えばガソリンエンジン等の内燃機関である原動機４を格納するエンジンルームと、例えば運転席を格納する室と、を有する。第１のバッテリ２は、エンジンルーム側に配置され、第１のバッテリ２の−端子（負極）は、車体１にアースされている。第１のバッテリ２の＋端子（正極）は、常時電源ライン＋Ｂの始点を構成し、常時電源ライン＋Ｂ上のノードＰ１を介して例えばメインヒューズボックス６に接続又は配線されている。また、常時電源ライン＋Ｂは、メインヒューズボックス６の手前で分岐し、例えばＡＣＧ（alternating current generator）３に接続されている。ＡＣＧ３は、原動機４の作動又は回転に伴って交流を生成し、その交流から変換された直流で第１のバッテリ２を充電可能である。
【００２６】
メインヒューズボックス６は、常時電源ライン＋Ｂ上のノードＰ１に接続されるメインヒューズ（図示せず）を有し、常時電源ライン＋Ｂは、メインヒューズボックス６内で分岐し、分岐した複数の常時電源ライン＋Ｂの各々は、メインヒューズボックス６内でサブヒューズ（図示せず）を介してヘッドライト１１、スタータ５等の電装品に接続される。メインヒューズボックス６は、サブヒューズを介して常時電源ライン＋Ｂを電装品に接続又は切断するリレー（図示せず）を有し、例えばスイッチ８のＯＮ状態でヘッドライト１１が点灯する一方、スイッチ８のＯＦＦ状態でヘッドライト１１が消灯する。また、メインヒューズボックスからの常時電源ライン＋Ｂは、室内側に配置される室内ヒューズボックス１０に直接に接続されるとともに、イグニッションスイッチ９を介して室内ヒューズボックス１０に接続される。
【００２７】
室内ヒューズボックス１０は、複数のヒューズ（図示せず）を有し、常時電源ライン＋Ｂは、室内ヒューズボックス１０内で分岐し、分岐した複数の常時電源ライン＋Ｂの各々は、室内ヒューズボックス１０内でヒューズを介して監視装置２０等の電装品に接続される。メインヒューズボックスからの常時電源ライン＋Ｂは、イグニッションスイッチ９でアクセサリー電源ラインＡＣＣに変換され、アクセサリー電源ラインＡＣＣは、室内ヒューズボックス１０内で分岐し、分岐した複数のアクセサリー電源ラインＡＣＣの各々は、室内ヒューズボックス１０内でヒューズを介してオーディオ機器（図示せず）等の電装品に接続される。イグニッションスイッチ９のＯＮ状態又はＡＣＣ状態でアクセサリー電源ラインＡＣＣに接続される例えばオーディオ機器が作動する一方、イグニッションスイッチ９のＯＦＦ状態でオーディオ機器の作動が停止する。
【００２８】
また、イグニッションスイッチ９のＳＴＡＲＴ状態でスタータ５が作動し、原動機４が始動し、その後、イグニッションスイッチ９のＯＮ状態が維持される限り、原動機４は作動又は回転する。なお、第１のバッテリ２の残量が少ない場合、第１のバッテリ２は、スタータ５で車両１００の原動機４を始動することができない。言い換えれば、例えば原動機４が停止してＡＣＧ３が発電しない時、第１のバッテリ２は、ヘッドライト１１の継続的な点灯によって上がってしまう。
【００２９】
なお、車両バッテリ監視システムを構成する監視装置２０は、常時電源ライン＋Ｂ上の例えばノードＰ２に設置されているが、監視装置２０は、常時電源ライン＋Ｂ上の電気状態を監視するだけであって、常時電源ライン＋Ｂを介して、第１のバッテリ２からの電力が供給されていない。監視装置２０は、図２の第２のバッテリ２３からの電力が供給される。第１のバッテリ２（車両バッテリ）は、原動機４を始動可能にさせる重要な部品であるので、監視装置２０は、車両１００の盗難の有無を監視するだけでなく、付随的に、第１のバッテリ２の残量の低下を抑制してもよい。
【００３０】
図２は、本発明に従う監視装置２０の概略機能ブロック図の１例を示す。図２の例において、車両バッテリ監視システムを構成する監視装置２０は、常時電源ライン＋Ｂ上の電気状態、即ち第１のバッテリ２の電気状態を監視する監視部２１を備える。監視装置２０又は車両バッテリ監視システムは、監視部２１だけでなく、電源部も備え、この電源部は、図１の第１のバッテリ２（車両バッテリ）ではなく、図２の第２のバッテリ２３（予備バッテリ）で構成される。第２のバッテリ２３である電源部は、監視部２１に電力を供給することができる。従って、監視部２１が第１のバッテリ２の電気状態を監視する時、第２のバッテリ２３は、第１のバッテリ２の残量の低下を抑制することができる。
【００３１】
監視部２１は、第１のバッテリ２の電気状態として、第１のバッテリ２（常時電源ライン＋Ｂ上の例えばノードＰ２）の電圧Ｖを監視する。特に、原動機４が停止している時、第１のバッテリ２の電圧Ｖ又は残量は、キーレスエントリーシステムの受信機（図示せず）、原動機４を制御する電子制御ユニット（図示せず）等の電装品の暗電流によって減少してしまう。監視部２１は、付随的に、第１のバッテリ２の現在の電圧Ｖ又は残量で、原動機４を始動することができるか否かを監視することができる。この時、監視部２１は、原動機４が停止した後に安定した第１のバッテリ２の電圧Ｖを用いることで、第１のバッテリ２の正確な残量を把握することができる。監視部２１の動作例については、後述する。
【００３２】
監視装置２０又は車両バッテリ監視システムは、第１のバッテリ２と第２のバッテリ２３とを並列に接続可能な切替部２２と、監視部２１の監視結果をユーザに報知する報知部２４と、原動機４の振動を検出する振動センサ２５と、第１のバッテリ２から電装品に供給される電力を遮断する遮断部２６と、をさらに備えることができる。切替部２２、報知部２４、振動センサ２５及び遮断部２６の動作例についても、後述する。なお、第２のバッテリ２３である電源部は、切替部２２、報知部２４、振動センサ２５及び遮断部２６に電力を供給することができる。従って、切替部２２、報知部２４、振動センサ２５及び遮断部２６が作動する時、第２のバッテリ２３は、第１のバッテリ２の残量の低下を抑制することができる。監視装置２０は、振動センサ２５の代わりに、或いは、振動センサ２５に加えて、車両１００の移動を検出する移動センサ２５を備えることができる。言い換えれば、センサ２５は、振動センサだけでセキュリティ装置を構成してもよく、或いは、振動センサ及び移動センサでセキュリティ装置を構成してもよく、或いは、移動センサだけでセキュリティ装置を構成してもよい。
【００３３】
監視部２１は、監視部２１の監視結果（第１のバッテリ２の電圧Ｖ）に基づき、車両１００が盗難されたか否かを判定又は監視する。具体的には、監視部２１は、第１のバッテリ２の電圧Ｖが所定のパターンを示す時に車両１００が盗難されたことを判定することができる。言い換えれば、車両１００が盗難される時、第１のバッテリ２の電圧に異常が発生する。異常を示す所定のパターンには、例えば、以下のような状況が反映されている。
【００３４】
不正に電装品が使用されて、第１のバッテリ２が消費されることもある。また、原動機４を作動させない状態で車両１００を不正に移動させると、第１のバッテリ２の電圧ＶにＡＣＧ３の影響が反映されない。さらに、常時電源ライン＋Ｂがカットされると、常時電源ライン＋Ｂの電圧がほとんどゼロになる。
【００３５】
より具体的には、原動機４が停止している時、監視部２１は、第１のバッテリ２の電圧Ｖの低下率が所定の低下率よりも大きいか否かを監視する。車両１００が盗難される時、盗難者は、不正に室内に進入し、不正に原動機４を始動することがある。盗難者は、車両１００のキーを有していないので、不正な原動機４の始動には、時間を要してしまう。また、盗難者は、オーディオ機器等の電装品（車両の一部）を盗難する時にも、電装品の取外しには、時間を要してしまう。この時、不正な室内への進入に伴い、ルームランプ（図示せず）が点灯する時間は、長くなってしまう。従って、このような状況では、第１のバッテリ２の電圧Ｖの低下率は、大きくなってしまう。加えて、盗難者が常時電源ライン＋Ｂをカットすると、第１のバッテリ２の電圧Ｖの低下率は、大きくなってしまう。監視部２１は、第１のバッテリの電圧Ｖの低下率を介して、車両１００の盗難の有無を監視することができる。
【００３６】
なお、盗難者が不正に室内に進入する際、キーレスエントリーシステムの受信機は、ドア（図示せず）のアンロック信号を受信しない。言い換えれば、盗難者が不正に室内に進入する際、ウインカーランプ（図示せず）が点滅しない状態でドア（図示せず）の開きに伴ってルームランプが点灯する。ルームランプの点灯によって第１のバッテリ２の電圧Ｖの低下率が大きくなるが、この時、監視部２１は、ウインカーランプが点滅していないことを判定又は監視することが好ましい。ウインカーランプが点滅する時には、第１のバッテリ２の電圧Ｖの波形にリプル（凹み）が生じるので、監視部２１は、第１のバッテリ２の電圧Ｖの低下率が所定の低下率よりも大きく、且つ第１のバッテリ２の電圧Ｖの波形にリプルが生じていないか否かを監視することが好ましい。報知部２４は、監視結果として、例えば「不審者がドアを開けています。」、「車を確認して下さい。」等の車両盗難を報知部４を介してユーザに報知することができる。
【００３７】
或いは、より具体的には、車両１００が移動している時、監視部２１は、所定期間における第１のバッテリ２の電圧Ｖの変動幅が所定の変動幅よりも小さいか否かを監視する。車両１００が盗難される時又は車両１００が盗難された後、盗難者は、原動機４を始動しないで、レッカー車（図示せず）で車両１００を牽引することがある。原動機４が作動しない時、ＡＣＧ３も発電しない。従って、このような状況では、第１のバッテリ２の電圧Ｖの変動幅は、大きくならない。一方、ＡＣＧ３が発電する時、第１のバッテリ２の電圧Ｖの変動幅は、大きく、例えば、第１のバッテリ２の電圧Ｖは小刻みに上下する。監視部２１は、第１のバッテリの電圧Ｖの変動幅を介して、車両１００の盗難の有無を監視することができる。
【００３８】
図５は、本発明に従う車両バッテリ監視システムの他の構成例を示す。図５の例において、車両バッテリ監視システムは、図１の遮断部２６の代わりに、電流計２９を備えている。図５の例において、電流計２９は、第１のバッテリ２の＋端子（正極）とメインヒューズボックス６との間に設置され、第１のバッテリ２の電流を検知することができる。なお、図５の例において、車両バッテリ監視システムは、電流計２９ととともに、第１の遮断部２６を備えてもよい。
【００３９】
図６は、本発明に従う監視装置の他の概略機能ブロック図の１例を示す。図６の例において、車両バッテリ監視システムを構成する監視装置２０は、電流計２９を備えることができ、電流計２９を利用しながら、第１のバッテリ２の＋端子（正極）の根元の電気状態（電流）、即ち第１のバッテリ２の電気状態（電流）を監視する監視部２１を備える。なお、第２のバッテリ２３である電源部は、電流計２９に電力を供給することができる。
【００４０】
図６の例において、監視部２１は、第１のバッテリ２の電気状態として、第１のバッテリ２（例えば第１のバッテリ２の＋端子（正極）の根元）の電流Ａを監視する。好ましくは、監視部２１は、第１のバッテリ２の電流Ａだけでなく、前述したように、例えば第１のバッテリ２の電圧Ｖも監視することができる。
【００４１】
図６の例において、監視部２１は、監視部２１の監視結果である第１のバッテリ２の電流Ａ（好ましくは、及び、第１のバッテリ２の電圧Ｖ）に基づき、車両１００が盗難されたか否かを判定又は監視する。具体的には、監視部２１は、第１のバッテリ２の電流Ａが所定のパターンを示す時に車両１００が盗難されたことを判定することができる。言い換えれば、車両１００が盗難される時、第１のバッテリ２の電流に異常が発生する。異常を示す所定のパターンには、例えば、以下のような状況が反映されている。
【００４２】
不正に電装品が使用されて、第１のバッテリ２が消費されることもある。また、原動機４を作動させない状態で車両１００を不正に移動させると、第１のバッテリ２の電流ＡにＡＣＧ３の影響が反映されない。
【００４３】
より具体的には、原動機４が停止している時、監視部２１は、第１のバッテリ２の電流Ａの増加率が所定の増加率よりも大きいか否かを監視する。車両１００が盗難される時、盗難者は、不正に室内に進入し、不正に原動機４を始動することがある。盗難者による不正な室内への進入に伴い、ルームランプ（図示せず）が点灯する時間は、長くなってしまう。従って、このような状況では、第１のバッテリ２の電流Ａの消費率（第１のバッテリ２の放電電流の積分値の増加率）は、大きくなってしまう。
【００４４】
なお、盗難者が不正に室内に進入する際、キーレスエントリーシステムの受信機は、ドア（図示せず）のアンロック信号を受信しない。言い換えれば、盗難者が不正に室内に進入する際、ウインカーランプ（図示せず）が点滅しない状態でドア（図示せず）の開きに伴ってルームランプが点灯する。ルームランプの点灯によって第１のバッテリ２の電流Ａの消費率が大きくなるが、この時、監視部２１は、ウインカーランプが点滅していないことを判定又は監視することが好ましい。ウインカーランプが点滅する時には、第１のバッテリ２の電流Ａの波形にリプル（凹み）が生じるので、監視部２１は、第１のバッテリ２の電流Ａの消費率が所定の低下率よりも大きく、且つ第１のバッテリ２の電流Ａの波形にリプルが生じていないか否かを監視することが好ましい。なお、第１のバッテリ２の電流Ａの応答性は、第１のバッテリ２の電圧Ｖの応答性よりも速いので、少なくとも電流計２９を利用する監視部２１は、ウインカーランプが点滅していないことを判定又は監視し易く、第１のバッテリ２の電流Ａ及び電圧Ｖを監視する監視部２１は、ウインカーランプが点滅していないことをより確実に判定又は監視することができる。
【００４５】
或いは、より具体的には、車両１００が移動している時、図６の監視部２１は、所定期間における第１のバッテリ２の電流Ａの充電量が所定の充電量よりも小さいか否かを監視する。もちろん、図６の監視部２１は、所定期間における第１のバッテリ２の電圧Ｖの変動幅が所定の変動幅よりも小さいか否かをさらに監視してもよい。車両１００が盗難される時又は車両１００が盗難された後、盗難者は、原動機４を始動しないで、レッカー車（図示せず）で車両１００を牽引することがある。原動機４が作動しない時、ＡＣＧ３も発電しない。従って、このような状況では、第１のバッテリ２の電流Ａの充電量（第１のバッテリ２の充電電流）は、大きくならない。言い換えれば、第１のバッテリ２の電流Ａの放電電流が例えば正の値である時に第１のバッテリ２の電流Ａの充電電流が例えば負の値であり、ＡＣＧ３が発電しない時の第１のバッテリ２の電流Ａ（充電電流）は、負の値を示さない。一方、ＡＣＧ３が発電する時、第１のバッテリ２は、ＡＣＧ３によって充電され、第１のバッテリ２の電流Ａの充電電流が例えば負の値を示す。監視部２１は、第１のバッテリの電流Ａの充電量を介して、車両１００の盗難の有無を監視することができる。
【００４６】
図３は、車両バッテリの残量と電圧との関係の説明図の１例を示す。図３の例において、車両バッテリは、例えば鉛蓄電池であり、車両バッテリの残量（初期容量）が１００［％］である時、車両バッテリの電圧は、例えば１２．５［Ｖ］を示す。車両バッテリの残量が低下する時に車両バッテリの電圧も低下するので、車両バッテリの残量が９０、８３、７５及び６０［％］である時、車両バッテリの電圧は、それぞれ、例えば１２．２、１２．０、１１．５、１１．０［Ｖ］を示す。また、車両バッテリの残量が例えば７５［％］を下回ると、車両バッテリの劣化が大きくなり、車両バッテリの容量（満充電時容量）が減少してしまう。加えて、車両バッテリの残量が例えば６０［％］を下回ると、エンジンが始動できない。このような車両バッテリの特性を考慮すれば、車両バッテリの残量又は電圧は、低下しないことが好ましく、特に、車両バッテリの残量又は電圧が６０［％］又は１１．０［Ｖ］を下回らないことが好ましい。
【００４７】
但し、車両１００が盗難される時、車両１００は不正に使用される。従って、このような状況では、図２の監視部２１は、第１のバッテリ２を放電させることができる。第１のバッテリ２の放電によって第１のバッテリ２の電圧を低下させ、第１のバッテリ２の残量が６０［％］を下回る。このような状況では、もはや、第１のバッテリ２では、原動機４を始動させることができない。原動機４を始動不能にして、車両１００そのものの盗難を防止することができる。同様に、車両１００が盗難される時、遮断部２６は、第１のバッテリ２から電装品に供給される電力を遮断することができ、これにより、原動機４は、始動不能にされる。
【００４８】
図２又は図６の監視部２１は、第１のバッテリ２を放電させるためだけの負荷（図示せず）を有し、第１のバッテリ２の電圧をその負荷に印加することができる。或いは、切替部２２が常時電源ライン＋Ｂをアース（車体１）に接続するように監視部２１は切替部２２を制御し、この時、監視部２１は、切替部２２に流れる電流Ａを監視することが好ましく、切替部２２は、監視部２１からの制御によって常時電源ライン＋Ｂからアース（車体１）に流れる電流Ａ（第２のバッテリ２３への充電電流）を例えば２［Ａ］以下に制限又は調整することが好ましい。
【００４９】
図１の例において、遮断部２６は、第１のバッテリ２の＋端子（正極）とメインヒューズボックス６との間に設置され、遮断部２６は、監視部２１からの制御によって、第１のバッテリ２の＋端子をフローティングさせることができる。或いは、遮断部２６は、例えばリレーで構成されて、遮断部２６は、監視部２１からの制御によって、第１のバッテリ２の＋端子（正極）とメインヒューズボックス６との接続を切断することができる。遮断部２６は、第１のバッテリ２からの電力で作動する電装品のすべてを作動不能にさせることができるが、少なくともスタータ５を作動不能にさせてもよく、この場合、遮断部２６は、第１のバッテリ２の＋端子（正極）とスタータ５との間の任意の位置に設置されてもよく、遮断部２６は、例えばメインヒューズボックス６内に設置されてもよい。
【００５０】
なお、図１の例において、第１のバッテリ２（車両バッテリ）の＋端子（正極）と常時電源ライン＋Ｂ上のノードＰ１との配線は、太く（例えば５［ｓｑ］）短い電線だけで構成されるので、その配線の電気抵抗は、ほとんど無視することができる。一方、常時電源ライン＋Ｂ上のノードＰ１とノードＰ２との配線は、遮断部２６、メインヒューズボックス６、室内ヒューズボックス１０、及びメインヒューズボックス６と室内ヒューズボックス１０との間の細く（例えば０．５［ｓｑ］）長い電線で構成されるので、その配線の電気抵抗は、無視することができない。言い換えれば、第１のバッテリ２の電圧Ｖを常時電源ライン＋Ｂ上のノードＰ２で測定する場合、その電圧Ｖは、電圧降下によって減少するので、その減少分を補正又は補償して、付随的に、車両バッテリの残量（容量）を換算すればよい。加えて、常時電源ライン＋Ｂ上のノードＰ２等の室内側に設置される監視装置２０（遮断部２６を除く）の耐熱性、耐水性等の耐性は、ノードＰ１等のエンジンルーム側に設置される時の耐性と比べて、低く設定でき、これにより、室内側に設置される監視装置２０（遮断部２６を除く）の製造コストを低減させることができる。
【００５１】
図４は、車両バッテリの残量の時間的変化の１例を示す。図４の例において、時刻ゼロは、原動機４が停止した時であり、時刻ゼロでの車両バッテリ（第１のバッテリ２）の残量は、例えば１００［％］を超えている。言い換えれば、原動機４が停止される前にＡＣＧ３が発電していたので、原動機４が停止した直後の第１のバッテリ２の電圧は、ＡＣＧ３の影響によって高く測定される。図２又は図６の監視部２１は、付随的に、図３に示すようなテーブル、このテーブルと同等な数式等の第１のバッテリ２の特性（車両バッテリの残量と電圧との関係）を格納し、このような特性から、測定した第１のバッテリ２の電圧Ｖを第１のバッテリ２の残量に変換することができる。原動機４が停止している時、具体的には、図４の例において、時刻ゼロから時刻ｔ４まで、監視部２１は、第１のバッテリ２の電圧Ｖを監視し続ける。言い換えれば、監視装置２０は、第２のバッテリ２３の残量がなくなるまで、車両１００の盗難の有無を監視する。
【００５２】
付随的に、第１のバッテリ２１の残量を監視する場合、原動機４が停止した後の第１のバッテリ２の電圧は、電装品の暗電流によって減少してしまうので、第１のバッテリ２の現在の測定した電圧Ｖで、原動機４を始動することができるか否かは、重要である。付随的に、第１のバッテリ２１の残量を監視する場合、次に、第１のバッテリ２の現在の測定した電圧Ｖで、第１のバッテリ２の劣化が大きくなるか否かも、重要である。
【００５３】
例えば図２の例において、監視部２１は、監視結果として、第１のバッテリ２の現在の測定した電圧Ｖ（又は付随的な残量）、及び／又は、車両１００の盗難を報知部４を介してユーザに報知することができる。ここで、報知部４は、例えば、ディスプレイ、スピーカ等で構成して、室内のユーザ（乗員）に監視結果を伝えることができるが、好ましくは、報知部４は、例えば３Ｇ通信モジュール、ＬＴＥ（long term evolution）通信モジュール、Ｗｉｆｉ(wireless fidelity)通信モジュール等の送信機で構成して、室外又は室内のユーザ又は携帯端末（図示せず）に監視結果（例えば車両１００の盗難、第１のバッテリ２の現在の測定した電圧Ｖ又は残量）を例えば電子メール等の送信形式で伝えることができる。これに応じて、ユーザは、車両１００が盗難されているか否かを目視で確認することができる。或いは、付随的に、第１のバッテリ２１の残量を監視する場合、第１のバッテリ２の電圧Ｖ又は残量が少なくなる前に、例えば車両１００を運転したり、第１のバッテリ２を専用の充電器（図示せず）で充電したり、場合によっては第１のバッテリ２にブースターケーブル（図示せず）を接続したり、第１のバッテリ２の残量を回復させることができる。或いは、付随的に、第１のバッテリ２１の残量を監視する場合、ユーザは、第１のバッテリ２の電圧Ｖ又は残量が少なくなるまで、第１のバッテリ２の残量を気にしないで、第１のバッテリ２又は電装品を使用することができる。
【００５４】
図２又は図６の監視部２１は、まず、原動機４が停止しているか否かを判定することができる。例えば図２の例において、監視部２１は、例えば振動センサ等のセンサ２５で原動機４が停止しているか否かを判定することができる。振動センサは、例えば３軸の加速度センサで構成することができ、３軸の加速度センサが原動機４の作動による振動を検出しない時に、監視部２１は、原動機４が停止していると判定又は監視することができる。監視部２１は、例えばイグニッションスイッチ９のＯＦＦ状態で、原動機４が停止しているか否かを判定してもよい。この場合、イグニッションスイッチ９からの信号を監視部２１が取り込めるように、イグニッションスイッチ９と監視部２１（監視装置２０）とを配線することができる。
【００５５】
３軸の加速度センサは、車両１００の移動を検出することもでき、監視部２１は、３軸の加速度センサで車両１００が移動しているか否かを判定することができる。車両１００の移動は、ＧＰＳ（global positioning system）センサでも検出でき、監視部２１は、加速度センサ、ＧＰＳセンサ等のセンサ２５で車両１００の移動の有無を判定又は監視することができる。
【００５６】
なお、センサ２５又は振動センサは、原動機４の作動による振動の周波数よりも低い周波数のみを有する振動（低周波振動）を検出してもよく、この場合、監視部２１は、原動機４が停止している時に、振動センサによる低周波振動のみの検出で、車両１００が盗難されたか否かも判定又は監視してもよい。しかしながら、例えば猫がボンネット（図示せず）の上に乗ったことにより振動が生じ、実際には車両１００が盗難されていない時にも車両１００の盗難を誤って判定することもある。従って、監視部２１は、第１のバッテリ２の電圧Ｖ（好ましくは、及び第１のバッテリ２の電圧Ａ）の監視結果に基づき、車両１００が盗難されたか否かを判定することが好ましい。監視部２１は、振動センサによる低周波振動の監視結果と例えば第１のバッテリ２の電圧Ｖの監視結果との双方に基づき、車両１００が盗難されたか否かを判定することがさらに好ましい。
【００５７】
図４の例において、監視部２１は、第１のバッテリ２に対するＡＣＧ３の影響がほとんどなくなるまでの間、即ち、時刻ゼロから例えば３０分経過するまでの間、例えば１分間隔等の所定の間隔で第１のバッテリ２の電圧Ｖ又は残量を測定又は監視し、その測定値を保存することができる。監視部２１は、保存した複数の測定値に基づき第１のバッテリ２の電圧Ｖ又は残量の減衰特性を求め、付随的に、第１のバッテリ２の将来の電圧Ｖが例えば残量６０［％］に相当する第１の電圧を下回る時刻を予測又は監視することができる。ここで、例えば第１のバッテリ２の＋端子からノードＰ２までに降下した電圧が１．５［Ｖ］であれば、残量６０［％］に相当する第１の電圧は、例えば９．５［Ｖ］（＝１１．０［Ｖ］−１．５［Ｖ］）である。
【００５８】
なお、監視部２１が第１のバッテリ２の電圧Ｖの低下率で車両１００の盗難の有無を監視する場合、監視部２１は、第１のバッテリ２に対するＡＣＧ３の影響がほとんどなくなった後、即ち、時刻ゼロから例えば３０分経過した後、車両１００の盗難の有無を監視することができる。
【００５９】
また、監視部２１は、付随的に、監視結果として、例えば「車両バッテリの電圧が残り○○○時間で第１の電圧を下回ります。」、「車両バッテリの残量が残り○○○時間で６０［％］を下回ります。」、「残り○○○時間でエンジンを始動できなくなります。」等の予測時刻を報知部４を介してユーザに報知することができる。ここで、第１の電圧は、原動機４を始動することができるか否かを示す基準（残量６０［％］）に設定されるが、例えば、第１のバッテリ２の劣化が大きくなるか否を示す基準（残量７５［％］）に設定されてもよい。この場合、監視部２１は、監視結果として、例えば「車両バッテリの残量が残り○○○時間で７５［％］を下回ります。」、「残り○○○時間で車両バッテリが劣化します。」等の予測時刻を報知部４を介してユーザに報知することができる。
【００６０】
なお、監視部２１は、原動機４が停止する毎に、即ち、車両１００の運転が終了する毎に、時刻ゼロから例えば３０分経過するまでの間、例えば１分間隔で第１のバッテリ２の電圧Ｖ又は残量を測定し、保存する。監視部２１は、第１のバッテリ２の電圧Ｖ又は残量の過去の減衰特性の平均値、中央値等の比較値を求めることができ、時刻ゼロから例えば３０分経過するまでの間の現在の減衰特性と過去の減衰特性を示す比較値とを比較又は監視することができる。時刻ゼロから例えば３０分経過するまでの間、監視部２１が第１のバッテリ２の電圧Ｖの低下率で車両１００の盗難の有無を監視しない場合、監視部２１は、ヘッドライト１１等の電装品の消し忘れを予測又は監視してもよい。具体的には、監視部２１は、時刻ゼロから例えば３０分経過するまでの間、現在の減衰特性が過去の減衰特性と比べて大きく、第１のバッテリ２の現在の電圧Ｖ又は残量の減少速度が速い場合、この監視結果（例えば「ヘッドライトが点灯しています。車にお戻り下さい。」、「電装品の何かを消し忘れしていませんか？」等）を報知部４を介してユーザに報知することができる。
【００６１】
監視部２１は、付随的に、第１のバッテリ２の現在の電圧Ｖが第２の電圧を下回るか否かを判定又は監視することができ、図４の例において、時刻ｔ１での第１のバッテリ２の電圧Ｖが、例えば残量８３［％］に相当する第２の電圧を下回る。第２の電圧は、第１の電圧よりも高く設定することができ、監視部２１は、時刻ｔ１以降、第１のバッテリ２の将来の電圧Ｖが、第１の電圧に到達することを遅延させることができる。なお、第１の電圧が、原動機４を始動することができるか否かを示す基準（残量６０［％］）に設定される時に、第２の電圧は、残量８３［％］ではなく、第１のバッテリ２の劣化が大きくなるか否を示す基準（残量７５［％］）に設定されてもよい。
【００６２】
図４の例において、時刻ゼロから時刻ｔ１までの間、監視部２１は、第１のバッテリ２と第２のバッテリ２３とが切断されるように切替部２２を制御し、時刻ｔ１以降、監視部２１は、付随的に、第１のバッテリ２と第２のバッテリ２３とが並列に接続されるように切替部２２を制御することができる。時刻ｔ１以降、第２のバッテリ２３は、付随的に、第２のバッテリ２３からの電力を第１のバッテリ２からの電力が供給されていた電装品に供給することができるので、第２のバッテリ２３は、第１のバッテリ２の残量の低下を抑制することができる。
【００６３】
第２のバッテリ２３の＋端子（正極）と第２のバッテリ２３の−端子（負極）との間の電圧は、例えば、第１のバッテリ２の残量１００［％］に相当する１２．５［Ｖ］よりも高い１２．８［Ｖ］に設定することができる。第２のバッテリ２３は、例えばリチウムイオン蓄電池である。第２のバッテリ２３は、例えば１時間の２［Ａ］の充電電流で第２のバッテリ２３の残量（例えば初期容量２０００［ｍＡｈ］）が０［％］から１００［％］まで充電される急速充電可能なバッテリで構成される。急速充電可能なバッテリである第２のバッテリ２３の電圧は、第２のバッテリ２３の残量に拘らず、例えば１２．８［Ｖ］を保つことができる。
【００６４】
図４の例において、時刻ｔ１から時刻ｔ３までの間、付随的に、第２のバッテリ２３からの電力が電装品に供給されるので、第１のバッテリ２の電圧Ｖは、図４の実線で示されるように、一定値、即ち第１のバッテリ２の残量８３［％］に相当する第２の電圧に保たれている。なお、監視部２１が第１のバッテリ２の電圧Ｖの低下率で車両１００の盗難の有無を監視する場合、時刻ｔ１から時刻ｔ３までの間、切替部２２は、時刻ｔ１で第１のバッテリ２と第２のバッテリ２３とが並列に接続しない。この場合、図４の点線で示されるように、時刻ｔ１以降も、第１のバッテリ２の電圧Ｖ又は残量は、電装品の暗電流によって減少してしまう。監視部２１は、時刻ゼロから例えば３０分経過した後、第１のバッテリ２の電圧Ｖの低下率を求め、この低下率から予測される電圧よりも第１のバッテリ２の現在の電圧Ｖが低い場合、第１のバッテリ２の電圧Ｖの低下率が所定の低下率よりも大きいことを判定することができる。同様に、監視部２１は、第１のバッテリ２の電流Ａの消費率が所定の消費率よりも大きいことを判定することができる。但し、監視部２１が第１のバッテリ２の電圧Ｖの低下率及び／又は第１のバッテリ２の電流Ａの消費率で車両１００の盗難の有無を監視する場合であっても、監視部２１が振動センサによって低周波振動を検出しない限り、時刻ｔ１から時刻ｔ３までの間、切替部２２は、時刻ｔ１で第１のバッテリ２と第２のバッテリ２３とが並列に接続してもよい。
【００６５】
前述したように、監視部２１は、付随的に、第１のバッテリ２の将来の電圧Ｖが例えば残量６０［％］に相当する第１の電圧を下回る時刻を予測することができる。図４（時刻ｔ１〜時刻ｔ３）に示されるように、第２のバッテリ２３の電力が電装品に供給される場合、監視部２１は、第２のバッテリ２３の残量％も考慮して、第１のバッテリ２の将来の電圧Ｖが例えば第１の電圧を下回る時刻を予測することができる。言い換えれば、仮に、第２のバッテリ２３の電力が電装品に供給されない場合、監視部２１は、第２のバッテリ２３の残量％を考慮しないで、図４の点線に従うような第１のバッテリ２の電圧Ｖ又は残量の減衰特性で、第１のバッテリ２の将来の電圧Ｖが例えば第１の電圧を下回る時刻を予測してもよい。
【００６６】
ところで、監視部２１は、付随的に、第１のバッテリ２の電圧Ｖ又は残量の減衰特性と比較し得る複数の基本特性を格納することができ、監視部２１は、現在の減衰特性が複数の基本特性のうちのどの基本特性と一致するのかを判定又は監視することができる。ここで、基本特性は、電装品（第２のバッテリ２３からの電力が供給される監視装置２０を除く）の暗電流と相関し、監視部２１は、現在の減衰特性又は一致する基本特性に基づき電装品の暗電流を予測又は監視することができる。監視部２１は、電装品の予測した暗電流と監視装置２０それ自身の暗電流（消費電流）と第２のバッテリ２３の残量％とに基づき、第２のバッテリ２３の使用可能時間（時刻ｔ１〜時刻ｔ３）を予測又は監視することができ、第１のバッテリ２の将来の電圧Ｖが例えば第１の電圧を下回る時刻ｔ４を予測又は監視することができる。
【００６７】
例えば図２の例において、監視部２１は、第２のバッテリ２３から常時電源ライン＋Ｂ又は電装品に流れる電流Ａ（第２のバッテリ２３からの放電電流）を測定又は監視することができる。監視部２１は、時刻ｔ１で、第１のバッテリ２と第２のバッテリ２３とが並列に接続されるように切替部２２を制御し、この時、電装品は、第２のバッテリ２３からの電力が供給されるので、第２のバッテリ２３からの放電電流を測定してもよい。この場合、監視部２１は、電装品の測定した暗電流（第２のバッテリ２３からの放電電流）と監視装置２０それ自身の暗電流（消費電流）と第２のバッテリ２３の残量％とに基づき、第２のバッテリ２３の使用可能時間（時刻ｔ１〜時刻ｔ３）を予測又は監視してもよい。加えて、監視部２１は、電装品の測定した暗電流（第２のバッテリ２３からの放電電流）を考慮して、第１のバッテリ２の電圧Ｖ又は残量の現在の減衰特性を補正してもよい。
【００６８】
例えば図２の例において、第２のバッテリ２３は、＋端子（正極）及び−端子（負極）以外の通信端子（ゲージ）を有し、監視部２１は、第２のバッテリ２３の通信端子からの第２のバッテリ２３の残量％を測定又は監視することができる。監視部２１は、付随的に、時刻ゼロ、時刻ｔ１等の任意の時刻で、第２のバッテリ２３の残量％を監視することができる。なお、原動機４が作動している時、監視部２１は、第２のバッテリ２３を充電するように切替部２２を制御することができ、ここで、切替部２２は、常時電源ライン＋Ｂから第２のバッテリ２３に流れる電流Ａ（第２のバッテリ２３への充電電流）を制限又は調整してもよい。
【００６９】
図２又は図６の第２のバッテリ２３は、交換可能又は監視装置２０に着脱可能であることが好ましく、例えば時刻ゼロで第２のバッテリ２３の残量％に問題が生じた時、監視部２１は、この監視結果（例えば「予備バッテリの残量が低下しています。予備バッテリを交換して下さい。」、「予備バッテリを専用充電器で充電して下さい。」等）を報知部４を介してユーザに報知することができる。
【００７０】
監視部２１は、第２のバッテリ２３の現在の残量％が第１の残量（例えば１０［％］）を下回るか否かを判定又は監視することができ、図４の例において、時刻ｔ２での第２のバッテリ２３の残量％が、例えば残量１０［％］である第１の残量を下回る。監視部２１は、監視結果として、例えば「予備バッテリの残量が１０［％］を下回りました。」等の予備バッテリの状態を報知部４を介してユーザに報知することができる。ここで、ユーザは、車両１００の盗難の監視に関する優先度を第１のバッテリ２の優先度よりも低くしてもよく、この場合、ユーザ又は携帯端末は、車両１００の盗難の監視を停止する指示を報知部２４を構成する通信部に送り、監視部２１は、車両１００の盗難の有無を監視する機能又は制御を停止させ、監視部２１又は監視装置２０の消費電力を低減させてもよい。監視部２１が車両１００の盗難の有無を監視する機能又は制御を停止させる場合、報知部４は、例えば「車両盗難の監視を停止しました。」等の監視装置２０の監視の状態を報知部４を介してユーザに報知することができる。
【００７１】
監視部２１は、付随的に、第２のバッテリ２３の現在の残量％が第１の残量よりも低い第１の残量（例えば２［％］）を下回るか否かを判定又は監視することができ、図４の例において、時刻ｔ３での第２のバッテリ２３の残量％が、例えば残量２［％］である第２の残量を下回る。時刻ｔ３以降、監視部２１は、第１のバッテリ２と第２のバッテリ２３とが切断されるように切替部２２を制御することができる。これにより、第２のバッテリ２３の残量％の低下を抑制し、時刻ｔ３以降、第２のバッテリ２３からの電力で作動する監視部２１は、第１のバッテリ２の電圧Ｖの監視を継続することができる。なお、時刻ｔ３で、監視部２１が車両１００の盗難の有無を監視する機能又は制御を停止させてもよい。
【００７２】
監視部２１は、付随的に、第１のバッテリ２の現在の電圧Ｖが第１の電圧を下回るか否かを判定又は監視することができ、図４の例において、時刻ｔ４での第１のバッテリ２の電圧Ｖが、例えば残量６０［％］に相当する第１の電圧を下回る。また、監視部２１は、監視結果として、例えば「車両バッテリの電圧が第１の電圧を下回りました。」、「エンジンを始動できなくなりました。」、「車両バッテリを充電して下さい。」等の警告を報知部４を介してユーザに報知することができる。時刻ｔ４以降、監視部２１は、第１のバッテリ２の電圧Ｖ又は残量の監視を停止するができる。なお、時刻ｔ４で、監視部２１が車両１００の盗難の有無を監視する機能又は制御を停止させてもよい。
【００７３】
前述したように、時刻ゼロから例えば３０分経過するまでの間、監視部２１は、例えば１分間隔等の所定の間隔で第１のバッテリ２の電圧Ｖ又は残量を測定又は監視することができる。原動機４が停止した後、例えば３０分経過した後、監視部２１は、第１のバッテリ２の電圧Ｖ又は残量を監視する所定の間隔を短くすることができる。例えば、時刻ゼロから例えば３０分経過した後、監視部２１は、所定の間隔を例えば１分間隔から例えば１秒間隔に変更することができる。但し、監視部２１が振動センサによって低周波振動を検出しない限り、時刻ゼロから例えば３０分経過した後、監視部２１は、第１のバッテリ２の電圧Ｖ又は残量を監視する所定の間隔を長くすることができる。例えば、時刻ゼロから例えば３０分経過した後、監視部２１は、監視部２１が振動センサによって低周波振動を検出しない限り、所定の間隔を例えば１分間隔から例えば１時間間隔に変更することができる。また、例えば、時刻ｔ３以降、監視部２１は、監視部２１が振動センサによって低周波振動を検出しない限り、例えば５時間間隔で第１のバッテリ２の電圧Ｖ又は残量を測定又は監視することができる。これにより、第２のバッテリ２３の残量％の低下を抑制することができる。
【００７４】
本発明は、上述の例示的な実施形態に限定されず、また、当業者は、上述の例示的な実施形態を特許請求の範囲に含まれる範囲まで、容易に変更することができるであろう。
【符号の説明】
【００７５】
１・・・車体、２・・・第１のバッテリ（車両バッテリ）、３・・・ＡＣＧ、４・・・原動機、５・・・スタータ、６・・・メインヒューズボックス、８・・・スイッチ、９・・・イグニッションスイッチ、１０・・・室内ヒューズボックス、１１・・・ヘッドライト（電装品）、２０・・・監視装置（車両バッテリ監視システム）、２１・・・監視部、２２・・・切替部、２３・・・第２のバッテリ（予備バッテリ）、２４・・・報知部、２５・・・センサ、２９・・・電流計、１００・・・車両、ＡＣＣ・・・アクセサリー電源ライン、＋Ｂ・・・常時電源ライン。
【図１】
0005634460.tif 000002
【図２】
0005634460.tif 000003
【図３】
0005634460.tif 000004
【図４】
0005634460.tif 000005
【図５】
0005634460.tif 000006
【図６】
0005634460.tif 000007